【手続補正書】
【提出日】平成20年12月3日(2008.12.3)
【手続補正１】
【補正対象書類名】特許請求の範囲
【補正対象項目名】全文
【補正方法】変更
【補正の内容】
【特許請求の範囲】
【請求項１】
複数のスピーカを有するスピーカユニットが複数種類設けられたスピーカアレイ装置であって、
入力されるオーディオ信号の一部の周波数帯域の分割オーディオ信号を生成する生成手段と、
複数種類の前記スピーカユニットのうち、一部の種類のスピーカユニットにより放音する第１の放音手段であって、前記分割オーディオ信号を放音する第１の放音手段と、
前記入力されるオーディオ信号に対して、前記分割オーディオ信号の周波数帯域における位相にあわせる信号処理を行う信号処理手段と、
前記一部の種類とは異なる種類のスピーカユニットにより放音する第２の放音手段であって、前記信号処理手段によって信号処理されたオーディオ信号を放音する第２の放音手段と
を具備することを特徴とするスピーカアレイ装置。
【請求項２】
前記生成手段は、前記分割オーディオ信号とは別の周波数帯域の第２の分割オーディオ信号を生成し、
前記信号処理手段における信号処理は、前記分割オーディオ信号と前記第２の分割オーディオ信号とを加算する処理である
ことを特徴とする請求項１に記載のスピーカアレイ装置。
【請求項３】
前記分割オーディオ信号の周波数帯域は、所定の周波数以上の帯域である
ことを特徴とする請求項１または請求項２に記載のスピーカアレイ装置。
【請求項４】
前記スピーカユニットの種類は３種類以上であって、
前記第１の放音手段および前記第２の放音手段とは異なる種類のスピーカユニットにより放音する第３の放音手段であって、前記第２の分割オーディオ信号を放音する第３の放音手段をさらに具備する
ことを特徴とする請求項２または請求項３に記載のスピーカアレイ装置。
【請求項５】
前記生成手段は、前記入力されるオーディオ信号を３以上の周波数帯域のオーディオ信号に分割し、分割した周波数帯域のオーディオ信号のうち、複数の周波数帯域のオーディオ信号を加算して前記分割オーディオ信号を生成し、
前記信号処理手段における信号処理は、前記分割した周波数帯域のオーディオ信号のうち、前記分割オーディオ信号以外の周波数帯域のオーディオ信号および前記分割オーディオ信号の周波数帯域の一部の帯域のオーディオ信号を加算する処理である
ことを特徴とする請求項１に記載のスピーカアレイ装置。
【請求項６】
前記分割オーディオ信号の振幅を調整する調整手段をさらに具備し、
前記信号処理手段は、前記入力されるオーディオ信号に対して、前記分割オーディオ信号の周波数帯域における位相にあわせるとともに、当該周波数帯域における振幅を調整する
ことを特徴とする請求項１乃至請求項５のいずれかに記載のスピーカアレイ装置。
【請求項７】
複数のスピーカを有するスピーカユニットが複数種類設けられたスピーカアレイ装置において用いられる信号処理方法であって、
入力されるオーディオ信号の一部の周波数帯域の分割オーディオ信号を生成する生成過程と、
複数種類の前記スピーカユニットのうち、一部の種類のスピーカユニットにより放音する第１の放音過程であって、前記分割オーディオ信号を放音する第１の放音過程と、
前記入力されるオーディオ信号に対して、前記分割オーディオ信号の周波数帯域における位相にあわせる信号処理を行う信号処理過程と、
前記一部の種類とは異なる種類のスピーカユニットにより放音する第２の放音過程であって、前記信号処理過程において信号処理されたオーディオ信号を放音する第２の放音過程と
を備えることを特徴とする信号処理方法。
【手続補正２】
【補正対象書類名】明細書
【補正対象項目名】０００６
【補正方法】変更
【補正の内容】
【０００６】
上述の課題を解決するため、本発明は、複数のスピーカを有するスピーカユニットが複数種類設けられたスピーカアレイ装置であって、入力されるオーディオ信号の一部の周波数帯域の分割オーディオ信号を生成する生成手段と、複数種類の前記スピーカユニットのうち、一部の種類のスピーカユニットにより放音する第１の放音手段であって、前記分割オーディオ信号を放音する第１の放音手段と、前記入力されるオーディオ信号に対して、前記分割オーディオ信号の周波数帯域における位相にあわせる信号処理を行う信号処理手段と、前記一部の種類とは異なる種類のスピーカユニットにより放音する第２の放音手段であって、前記信号処理手段によって信号処理されたオーディオ信号を放音する第２の放音手段とを具備することを特徴とするスピーカアレイ装置を提供する。
【手続補正３】
【補正対象書類名】明細書
【補正対象項目名】０００７
【補正方法】変更
【補正の内容】
【０００７】
また、別の好ましい態様において、前記生成手段は、前記分割オーディオ信号とは別の周波数帯域の第２の分割オーディオ信号を生成し、前記信号処理手段における信号処理は、前記分割オーディオ信号と前記第２の分割オーディオ信号とを加算する処理であることを特徴とする。
【手続補正４】
【補正対象書類名】明細書
【補正対象項目名】０００８
【補正方法】変更
【補正の内容】
【０００８】
また、別の好ましい態様において、前記分割オーディオ信号の周波数帯域は、所定の周波数以上の帯域であることを特徴とする。
【手続補正５】
【補正対象書類名】明細書
【補正対象項目名】０００９
【補正方法】変更
【補正の内容】
【０００９】
また、別の好ましい態様において、前記スピーカユニットの種類は３種類以上であって、前記第１の放音手段および前記第２の放音手段とは異なる種類のスピーカユニットにより放音する第３の放音手段であって、前記第２の分割オーディオ信号を放音する第３の放音手段をさらに具備することを特徴とする。
【手続補正６】
【補正対象書類名】明細書
【補正対象項目名】００１０
【補正方法】変更
【補正の内容】
【００１０】
また、別の好ましい態様において、前記生成手段は、前記入力されるオーディオ信号を３以上の周波数帯域のオーディオ信号に分割し、分割した周波数帯域のオーディオ信号のうち、複数の周波数帯域のオーディオ信号を加算して前記分割オーディオ信号を生成し、前記信号処理手段における信号処理は、前記分割した周波数帯域のオーディオ信号のうち、前記分割オーディオ信号以外の周波数帯域のオーディオ信号および前記分割オーディオ信号の周波数帯域の一部の帯域のオーディオ信号を加算する処理であることを特徴とする。
【手続補正７】
【補正対象書類名】明細書
【補正対象項目名】００１１
【補正方法】変更
【補正の内容】
【００１１】
また、別の好ましい態様において、前記分割オーディオ信号の振幅を調整する調整手段をさらに具備し、前記信号処理手段は、前記入力されるオーディオ信号に対して、前記分割オーディオ信号の周波数帯域における位相にあわせるとともに、当該周波数帯域における振幅を調整することを特徴とする。
【手続補正８】
【補正対象書類名】明細書
【補正対象項目名】００１２
【補正方法】変更
【補正の内容】
【００１２】
また、本発明は、複数のスピーカを有するスピーカユニットが複数種類設けられたスピーカアレイ装置において用いられる信号処理方法であって、入力されるオーディオ信号の一部の周波数帯域の分割オーディオ信号を生成する生成過程と、複数種類の前記スピーカユニットのうち、一部の種類のスピーカユニットにより放音する第１の放音過程であって、前記分割オーディオ信号を放音する第１の放音過程と、前記入力されるオーディオ信号に対して、前記分割オーディオ信号の周波数帯域における位相にあわせる信号処理を行う信号処理過程と、前記一部の種類とは異なる種類のスピーカユニットにより放音する第２の放音過程であって、前記信号処理過程において信号処理されたオーディオ信号を放音する第２の放音過程とを備えることを特徴とする信号処理方法を提供する。